(57)【要約】【課題】出力装置に出力させるデータの出力設定の変更が容易な出力制御装置、プログラム及び出力システムを提供することを課題とする。【解決手段】データを出力する出力装置及びジョブをデータに変換する変換装置にネットワークを介して接続される出力制御装置であって、ユーザからジョブを受け付けると、属性情報と第１の出力設定とを紐付けた出力設定保持部からユーザの属性情報と紐付けられた第１の出力設定を取得し、第１の出力設定とジョブに含まれるユーザから受け付けた第２の出力設定とに基づき、ジョブの出力設定を決定するジョブ受付手段と、ジョブの出力設定に基づくジョブからデータへの変換を変換装置に依頼する変換依頼手段と、出力装置からジョブの取得要求を受信し、ジョブから変換したデータを出力装置に送信する送信手段とを有することにより、上記課題を解決する。【選択図】  図１
2014059697.tif 000002
【特許請求の範囲】
【請求項１】
データを出力する出力装置及びジョブを前記データに変換する変換装置にネットワークを介して接続される出力制御装置であって、
ユーザから前記ジョブを受け付けると、属性情報と第１の出力設定とを紐付けた出力設定保持部から前記ユーザの属性情報と紐付けられた前記第１の出力設定を取得し、前記第１の出力設定と前記ジョブに含まれる前記ユーザから受け付けた第２の出力設定とに基づき、前記ジョブの出力設定を決定するジョブ受付手段と、
前記ジョブの出力設定に基づく前記ジョブから前記データへの変換を前記変換装置に依頼する変換依頼手段と、
前記出力装置から前記ジョブの取得要求を受信し、前記ジョブから変換した前記データを前記出力装置に送信する送信手段と
を有することを特徴とする出力制御装置。
【請求項２】
前記ジョブ受付手段は、前記第１の出力設定と前記第２の出力設定とに基づき、前記第２の出力設定を前記第１の出力設定に書き換える
ことを特徴とする請求項１記載の出力制御装置。
【請求項３】
前記ジョブ受付手段は、前記ユーザ及び前記ユーザの属性情報と前記第１の出力設定とを紐付けた出力設定保持部から前記ユーザ及び前記ユーザの属性情報と紐付けられた前記第１の出力設定を取得する
ことを特徴とする請求項１又は２記載の出力制御装置。
【請求項４】
前記ジョブ受付手段は、前記第１の出力設定の適用条件、及び、前記出力装置の処理に関する値に基づいて、前記第２の出力設定を前記第１の出力設定に書き換えるか否かを判定する
ことを特徴とする請求項２又は３記載の出力制御装置。
【請求項５】
前記出力設定保持部から前記ユーザの属性情報と紐付けられた前記第１の出力設定を取得し、前記第１の出力設定で前記ユーザから前記ジョブを受け付けるための画面を前記ユーザが操作する端末装置に表示させる表示制御手段を更に有し、
前記ジョブ受付手段は、前記ユーザから前記ジョブを受け付けると、前記第１の出力設定に基づく前記ジョブから前記データへの変換を前記変換依頼部に要求する
ことを特徴とする請求項１記載の出力制御装置。
【請求項６】
前記ジョブ受付手段は、前記第１の出力設定と前記第２の出力設定とに基づき、前記第１の出力設定に基づく前記ジョブから前記データへの変換と、前記第２の出力設定に基づく前記ジョブから前記データへの変換とを前記変換依頼部に要求する
ことを特徴とする請求項１記載の出力制御装置。
【請求項７】
データを出力する出力装置及びジョブを前記データに変換する変換装置にネットワークを介して接続される出力制御装置を、
ユーザから前記ジョブを受け付けると、属性情報と第１の出力設定とを紐付けた出力設定保持部から前記ユーザの属性情報と紐付けられた前記第１の出力設定を取得し、前記第１の出力設定と前記ジョブに含まれる前記ユーザから受け付けた第２の出力設定とに基づき、前記ジョブの出力設定を決定するジョブ受付手段、
前記ジョブの出力設定に基づく前記ジョブから前記データへの変換を前記変換装置に依頼する変換依頼手段、
前記出力装置から前記ジョブの取得要求を受信し、前記ジョブから変換した前記データを前記出力装置に送信する送信手段
として機能させるためのプログラム。
【請求項８】
データを出力する出力装置と、ジョブを前記データに変換する変換装置と、前記ジョブの出力に関する処理を制御する出力制御装置とを有する出力システムであって、
属性情報と第１の出力設定とを紐付けた出力設定保持部と、
ユーザから前記ジョブを受け付けると、前記出力設定保持部から前記ユーザの属性情報と紐付けられた前記第１の出力設定を取得し、前記第１の出力設定と前記ジョブに含まれる前記ユーザから受け付けた第２の出力設定とに基づき、前記ジョブの出力設定を決定するジョブ受付手段と、
前記ジョブの出力設定に基づく前記ジョブから前記データへの変換を行う変換手段と、
前記ジョブの出力設定に基づき前記ジョブから変換された前記データを蓄積する蓄積手段と、
前記ユーザからの前記ジョブの出力要求に基づき、前記蓄積手段に蓄積されている前記ジョブから変換された前記データを出力する出力手段と
を有することを特徴とする出力システム。
【発明の詳細な説明】
【技術分野】
【０００１】
本発明は、出力制御装置、プログラム及び出力システムに関する。
【背景技術】
【０００２】
ホストコンピュータから受信した印刷データを直ちに印刷せずに印刷サーバにスプール（蓄積）しておき、ユーザのログイン後にスプールされている印刷データの一覧の中から選択された印刷データを印刷する画像形成装置が従来から知られている（例えば特許文献１参照）。
【０００３】
このような印刷サーバを含む印刷システムにおいて、ユーザはクライアントＰＣから印刷指示を入力する。クライアントＰＣは印刷指示に応じた印刷ジョブを印刷サーバに送信する。印刷サーバは印刷ジョブを直ちに画像形成装置に転送せず、ＨＤＤなどの記憶装置に蓄積しておく。その後、ユーザは画像形成装置を操作して、蓄積されている印刷ジョブの印刷を指示する。画像形成装置は、印刷の指示に応じて印刷サーバから印刷ジョブを取得し、印刷を行っていた。
【発明の概要】
【発明が解決しようとする課題】
【０００４】
近年、ロケーションフリー印刷が利用されるようになった。ロケーションフリー印刷とはネットワーク内にある画像形成装置などの出力装置であれば、ログインすることでプリントサーバなどの出力制御装置に蓄積されているジョブ一覧を取得して表示でき、ジョブ一覧からユーザに選択されたジョブを取得して印刷する印刷方法である。
【０００５】
また、近年ではＴＣＯ（Total Cost of Ownership）削減のためのルール（カラー印刷を行わないなど）を管理者などが設定できるルールベースを用いた印刷システムも利用されるようになった。
【０００６】
このようなルールベースを用いた印刷システムでは、管理者などが設定したルールに基づいて、ユーザが設定した印刷設定を変更する。しかしながら、ユーザが設定した印刷設定を変更する場合は、ユーザが操作するクライアント端末などでアプリケーションファイルなどから印刷データへの変換前に、印刷設定を変更しなければならなかった。
【０００７】
このような課題はロケーションフリー印刷と同様、蓄積されているデータの一覧からユーザがデータを選択して出力装置に出力させる出力方法においても共通の課題であると言える。
【０００８】
本発明の実施の形態は、上記の点に鑑みなされたものであって、出力装置に出力させるデータの出力設定の変更が容易な出力制御装置、プログラム及び出力システムを提供することを目的とする。
【課題を解決するための手段】
【０００９】
上記目的を達成するため、本願請求項１は、データを出力する出力装置及びジョブを前記データに変換する変換装置にネットワークを介して接続される出力制御装置であって、ユーザから前記ジョブを受け付けると、属性情報と第１の出力設定とを紐付けた出力設定保持部から前記ユーザの属性情報と紐付けられた前記第１の出力設定を取得し、前記第１の出力設定と前記ジョブに含まれる前記ユーザから受け付けた第２の出力設定とに基づき、前記ジョブの出力設定を決定するジョブ受付手段と、前記ジョブの出力設定に基づく前記ジョブから前記データへの変換を前記変換装置に依頼する変換依頼手段と、前記出力装置から前記ジョブの取得要求を受信し、前記ジョブから変換した前記データを前記出力装置に送信する送信手段とを有することを特徴とする。
【発明の効果】
【００１０】
本発明の実施の形態によれば、出力装置に出力させるデータの出力設定の変更が容易な出力制御装置、プログラム及び出力システムを提供できる。
【図面の簡単な説明】
【００１１】
【図１】本実施形態に係る印刷システムの一例の構成図である。
【図２】本実施形態に係るコンピュータシステムの一例のハードウェア構成図である。
【図３】本実施形態に係る画像形成装置の一例のハードウェア構成図である。
【図４】本実施形態に係るプリントサーバの一例の処理ブロック図である。
【図５】本実施形態に係るレンダリングサーバの一例の処理ブロック図である。
【図６】本実施形態に係る認証サーバの一例の処理ブロック図である。
【図７】本実施形態に係る画像形成装置の一例の処理ブロック図である。
【図８】本実施形態に係る印刷システムの処理を表した一例のシーケンス図である。
【図９】ジョブ投入画面の一例のイメージ図である。
【図１０】印刷設定保持部が保持する強制印刷設定の一例の構成図である。
【図１１】強制印刷設定の適用を表した一例の説明図である。
【図１２】印刷設定保持部が保持する強制印刷設定の他の例の構成図である。
【図１３】強制印刷設定の適用を表した他の例の説明図である。
【図１４】ジョブ蓄積部が保存するジョブ情報の一例の構成図である。
【図１５】レンダリング情報保持部が保持するレンダリング情報の一例の構成図である。
【図１６】印刷設定を決定する処理の一例のフローチャートである。
【図１７】本実施形態に係る印刷システムの処理を表した一例のシーケンス図である。
【図１８】外部の情報の一例の構成図である。
【図１９】本実施形態に係る印刷システムの処理を表した一例のシーケンス図である。
【図２０】強制印刷設定を反映したジョブ投入画面の一例のイメージ図である。
【図２１】本実施形態に係る印刷システムの処理を表した一例のシーケンス図である。
【図２２】ジョブ蓄積部が保存するジョブ情報の一例の構成図である。
【図２３】レンダリング情報保持部が保持するレンダリング情報の一例の構成図である。
【発明を実施するための形態】
【００１２】
次に、本発明の実施の形態について、詳細に説明する。
［第１の実施形態］
＜システム構成＞
図１は本実施形態に係る印刷システムの一例の構成図である。図１の印刷システム１はクラウドサービス等のサービスを提供するネットワークN１とオフィス等のプライベート環境のネットワークN２とを有する。
【００１３】
ネットワークＮ１とネットワークＮ２とはネットワークＮ２側のファイアウォールＦＷによって接続されている。ファイアウォールＦＷはネットワークＮ１とネットワークＮ２との接点に設置され、ネットワークＮ２からネットワークＮ１へのアクセスを中継する。
【００１４】
ネットワークＮ１にはＷｅｂアプリケーションやサーバ側のアプリケーションによって機能を提供する一つ以上の情報処理装置（コンピュータシステム）が含まれる。このような情報処理装置によって、ネットワークＮ１側にはプリントサーバ１１、レンダリングサーバ１２、認証サーバ１３などが実現される。また、ネットワークＮ２にはクライアント端末２１、携帯端末２２、画像形成装置２３が含まれる。なお、携帯端末２２はネットワークＮ１に接続することも可能である。
【００１５】
プリントサーバ１１は印刷制御装置の一例である。プリントサーバ１１はｈｔｔｐ通信などの手段により、クライアント端末２１や携帯端末２２などからの認証依頼やジョブ投入を受け付ける。また、プリントサーバ１１は携帯端末２２や画像形成装置２３などにジョブ一覧やジョブを提供する。
【００１６】
レンダリングサーバ１２はプリントサーバ１１からレンダリング依頼を受け付け、レンダリング処理を行う。例えばレンダリングサーバ１２はクライアント端末２１や携帯端末２２で行っていたアプリケーションファイルから印刷データへの変換を行う。このように本実施形態に係る印刷システム１ではクライアント端末２１や携帯端末２２からプリントサーバ１１にアプリケーションデータのジョブを投入し、印刷を行うことが可能となっている。認証サーバ１３は認証装置の一例である。認証サーバ１３はプリントサーバ１２や画像形成装置２３から認証依頼を受け、認証を行う。
【００１７】
クライアント端末２１は端末装置の一例である。クライアント端末２１は一般的なＯＳなどが搭載された情報処理装置（コンピュータシステム）によって実現できる。クライアント端末２１は無線による通信の手段または有線による通信の手段を有する。クライアント端末２１は、タブレットＰＣ、ノートＰＣなど、ユーザが操作可能な端末である。
【００１８】
携帯端末２２は端末装置の一例である。携帯端末２２は、無線による通信の手段または有線による通信の手段を有している。携帯端末２２は、スマートフォンや携帯電話、タブレットＰＣ、ノートＰＣなど、ユーザが携帯可能な端末である。
【００１９】
また、画像形成装置２３は出力装置の一例である。画像形成装置２３は無線による通信の手段または有線による通信の手段を有する。画像形成装置２３は複合機、コピー機、スキャナ、プリンタ、レーザプリンタなど、画像形成に係る処理を行う装置である。
【００２０】
画像形成装置２３はプリントサーバ１１からジョブ一覧を提供される。また、画像形成装置２３はジョブ一覧からユーザに選択されたジョブをプリントサーバ１１から取得して印刷する。
【００２１】
なお、図１の印刷システム１のプリントサーバ１１、レンダリングサーバ１２及び認証サーバ１３は、一台のコンピュータに統合して実現してもよい。また、プリントサーバ１１、レンダリングサーバ１２及び認証サーバ１３は複数のコンピュータに分散して実現してもよい。
【００２２】
さらに、プリントサーバ１１、レンダリングサーバ１２及び認証サーバ１３の少なくとも一部の機能を画像形成装置２３に設けてもよい。例えば図１の印刷システム１はプリントサーバ１１、レンダリングサーバ１２及び認証サーバ１３の機能の少なくとも一部を画像形成装置２３に設けることにより、プリントサーバ１１、レンダリングサーバ１２及び認証サーバ１３の少なくとも一部を削除した構成としてもよい。
【００２３】
＜ハードウェア構成＞
図１のプリントサーバ１１、レンダリングサーバ１２、認証サーバ１３、クライアント端末２１及び携帯端末２２は例えば図２に示すようなハードウェア構成のコンピュータシステムにより実現される。図２は本実施形態に係るコンピュータシステムの一例のハードウェア構成図である。
【００２４】
図２に示したコンピュータシステム１００は、入力装置１０１、表示装置１０２、外部Ｉ／Ｆ１０３、ＲＡＭ（Random Access Memory）１０４、ＲＯＭ（Read Only Memory）１０５、ＣＰＵ（Central Processing Unit）１０６、通信Ｉ／Ｆ１０７、及びＨＤＤ（Hard Disk Drive）１０８などを備え、それぞれがバスＢで相互に接続されている。
【００２５】
入力装置１０１はキーボードやマウスなどを含み、ユーザが各操作信号を入力するのに用いられる。表示装置１０２はディスプレイなどを含み、コンピュータシステム１００による処理結果を表示する。
【００２６】
通信Ｉ／Ｆ１０７はコンピュータシステム１００をネットワークＮ１、Ｎ２に接続するインタフェースである。これにより、コンピュータシステム１００は通信Ｉ／Ｆ１０７を介してデータ通信を行うことができる。
【００２７】
ＨＤＤ１０８は、プログラムやデータを格納している不揮発性の記憶装置である。格納されるプログラムやデータには、例えばコンピュータシステム１００全体を制御する基本ソフトウェアであるＯＳ（Operating System）や、ＯＳ上において各種機能を提供するアプリケーションソフトウェアなどがある。ＨＤＤ１０８は格納しているプログラムやデータを所定のファイルシステム及び／又はＤＢ（データベース）により管理している。
【００２８】
外部Ｉ／Ｆ１０３は、外部装置とのインタフェースである。外部装置には、記録媒体１０３ａなどがある。これにより、コンピュータシステム１００は外部Ｉ／Ｆ１０３を介して記録媒体１０３ａの読み取り及び／又は書き込みを行うことができる。記録媒体１０３ａにはフレキシブルディスク、ＣＤ（Compact Disk）、ＤＶＤ（Digital Versatile Disk）、ＳＤメモリカード（SD Memory card）、ＵＳＢメモリ（Universal Serial Bus memory）などがある。
【００２９】
ＲＯＭ１０５は、電源を切ってもプログラムやデータを保持することができる不揮発性の半導体メモリ（記憶装置）である。ＲＯＭ１０５には、コンピュータシステム１００の起動時に実行されるＢＩＯＳ（Basic Input/Output System）、ＯＳ設定、及びネットワーク設定などのプログラムやデータが格納されている。ＲＡＭ１０４は、プログラムやデータを一時保持する揮発性の半導体メモリ（記憶装置）である。
【００３０】
ＣＰＵ１０６は、ＲＯＭ１０５やＨＤＤ１０８などの記憶装置からプログラムやデータをＲＡＭ１０４上に読み出し、処理を実行することで、コンピュータシステム１００全体の制御や機能を実現する演算装置である。
【００３１】
本実施形態に係るプリントサーバ１１、レンダリングサーバ１２、認証サーバ１３、クライアント端末２１及び携帯端末２２は、上記したコンピュータシステム１００のハードウェア構成により、後述するような各種処理を実現できる。
【００３２】
図３は本実施形態に係る画像形成装置の一例のハードウェア構成図である。図３に示した画像形成装置２３は、コントローラ２０１、操作パネル２０２、外部Ｉ／Ｆ２０３、通信Ｉ／Ｆ２０４、プリンタ２０５及びスキャナ２０６などを備える。
【００３３】
コントローラ２０１はＣＰＵ２１１、ＲＡＭ２１２、ＲＯＭ２１３、ＮＶＲＡＭ２１４及びＨＤＤ２１５などを備える。ＲＯＭ２１３は、各種プログラムやデータが格納されている。ＲＡＭ２１２はプログラムやデータを一時保持する。ＮＶＲＡＭ２１４は、例えば設定情報等が格納されている。また、ＨＤＤ２１５は各種プログラムやデータが格納されている。
【００３４】
ＣＰＵ２１１は、ＲＯＭ２１３やＮＶＲＡＭ２１４、ＨＤＤ２１５などからプログラムやデータ、設定情報等をＲＡＭ２１２上に読み出し、処理を実行することで、画像形成装置１０全体の制御や機能を実現する。
【００３５】
操作パネル２０２はユーザからの入力を受け付ける入力部と、表示を行う表示部とを備えている。外部Ｉ／Ｆ２０３は外部装置とのインタフェースである。外部装置には、記録媒体２０３ａなどがある。これにより、画像形成装置１０は外部Ｉ／Ｆ２０３を介して記録媒体１０３ａの読み取り及び／又は書き込みを行うことができる。記録媒体２０３ａにはＩＣカード、フレキシブルディスク、ＣＤ、ＤＶＤ、ＳＤメモリカード、ＵＳＢメモリ等がある。
【００３６】
通信Ｉ／Ｆ２０４は画像形成装置２３をネットワークＮ２に接続するインタフェースである。これにより、画像形成装置２３は通信Ｉ／Ｆ２０４を介してデータ通信を行うことができる。
【００３７】
プリンタ２０５は、印刷データを用紙に印刷するための印刷装置である。スキャナ２０６は原稿から画像データを読み取るための読取装置である。本実施形態に係る画像形成装置２３は、上記ハードウェア構成により、後述するような各種処理を実現できる。
【００３８】
＜ソフトウェア構成＞
《プリントサーバ１１》
本実施形態に係るプリントサーバ１１は、例えば図４に示す処理ブロックにより実現される。図４は本実施形態に係るプリントサーバの一例の処理ブロック図である。
【００３９】
プリントサーバ１１はプログラムを実行することにより、レンダリング依頼部３１、通信部３２、ジョブ受付部３３、認証依頼部３４、ジョブリスト取得部３５、ジョブ取得部３６、ジョブ蓄積部３７、表示部３８を実現している。
【００４０】
レンダリング依頼部３１は、ジョブ受付部３３がアプリケーションファイル及び印刷設定の入力を受け付けると、通信部３２を介してレンダリングサーバ１２にレンダリング依頼を行う。通信部３２はｈｔｔｐ通信などにより、通信を行う。
【００４１】
ジョブ受付部３３は通信部３２を介して、ユーザからのアプリケーションファイル及び印刷設定の入力を受け付ける。ジョブ受付部３３はユーザからのアプリケーションファイル及び印刷設定の入力を受け付けると、認証サーバ１３から後述の強制印刷設定を取得してユーザの印刷設定に反映させる。ジョブ受付部３３は一意にジョブを識別するジョブＩＤを採番し、ジョブ情報を蓄積する。ジョブ受付部３３はレンダリング依頼部３１にアプリケーションファイル及び印刷設定の入力を受け付けたことを通知する。
【００４２】
認証依頼部３４はユーザからのグループＩＤ、ユーザＩＤ及びパスワード等の認証情報を元に、認証サーバ１３に認証を依頼し、その結果を受け取る。ジョブリスト取得部３５はユーザの認証情報から、そのユーザから受け付けたジョブのリスト（ジョブリスト）をジョブ蓄積部３７から取得する。なお、ジョブリストは後述のようにレンダリングサーバ１２が保持するレンダリング情報のレンダリング状態が反映されたものとなる。
【００４３】
ジョブ取得部３６はユーザによるジョブリストからのジョブの選択を受け、ユーザにより選択されたジョブを、後述の印刷データを保存したＵＲＬから取得する。ジョブ蓄積部３７はジョブ受付部３３がユーザから受け付けたジョブのジョブ情報を保存する。表示部３８はユーザからの特定のＵＲＬへのアクセスに対し、後述の認証画面をクライアント端末２１や携帯端末２２に表示させ、ユーザからの認証情報の入力を受け付ける。
【００４４】
《レンダリングサーバ１２》
本実施形態に係るレンダリングサーバ１２は、例えば図５に示す処理ブロックにより実現される。図５は本実施形態に係るレンダリングサーバの一例の処理ブロック図である。
【００４５】
レンダリングサーバ１２はプログラムを実行することにより、通信部４１、レンダリングデータ保持部４２、レンダリング部４３、レンダリング情報保持部４４を実現する。
【００４６】
通信部４１はｈｔｔｐ通信などにより、通信を行う。レンダリングデータ保持部４２はアプリケーションファイルと印刷データとを一意なＵＲＬに保存する。レンダリング部４３はアプリケーションファイル及び印刷設定の入力に基づき、アプリケーションファイルを印刷データへ変換する。
【００４７】
レンダリング情報保持部４４は後述のレンダリング情報を保持する。レンダリング情報には、アプリケーションファイルと印刷データとを保存したＵＲＬが含まれる。レンダリング情報保持部４４はプリントサーバ１１からの要求に応じてレンダリング情報に含まれるレンダリング状態を返す。
【００４８】
《認証サーバ１３》
本実施形態に係る認証サーバ１３は、例えば図６に示す処理ブロックにより実現される。図６は本実施形態に係る認証サーバの一例の処理ブロック図である。
【００４９】
認証サーバ１３はプログラムを実行することにより、通信部５１、認証部５２、印刷設定保持部５３を実現する。
【００５０】
通信部５１はｈｔｔｐ通信などにより、通信を行う。認証部５２はプリントサーバ１１又は画像形成装置２３からの認証依頼を受け付け、認証情報による認証を行い、認証結果を返す。印刷設定保持部５３は後述の強制印刷設定を保持する。強制印刷設定は例えばグループＩＤ、ユーザＩＤなどに紐付けられている。強制印刷設定は例えば管理者が予め設定しておく。
【００５１】
《画像形成装置２３》
本実施形態に係る画像形成装置２３は、例えば図７に示す処理ブロックにより実現される。図７は本実施形態に係る画像形成装置の一例の処理ブロック図である。
【００５２】
画像形成装置２３はプログラムを実行することにより、通信部６１、表示部６２、認証依頼部６３、ジョブリスト取得部６４、ジョブリスト表示部６５、ジョブ取得部６６を実現している。
【００５３】
通信部６１はｈｔｔｐ通信などにより、通信を行う。表示部６２はユーザからの特定のＵＲＬへのアクセスに対して、後述の認証画面を表示し、ユーザからの認証情報の入力を受け付ける。また、表示部６２はジョブリストの表示を行い、ユーザからのジョブの選択を受け付ける。
【００５４】
認証依頼部６３はユーザからの認証情報の入力を受け、認証サーバ１３に対して認証を依頼し、認証結果を取得する。ジョブリスト取得部６４はプリントサーバ１１からジョブリストを取得する。ジョブリスト表示部６５はジョブリストを表示する。ジョブ取得部６６はユーザから選択されたジョブをプリントサーバ１１から取得する。
【００５５】
＜処理の詳細＞
以下では、本実施形態に係る印刷システム１の処理の詳細について説明する。図８は本実施形態に係る印刷システムの処理を表した一例のシーケンス図である。
【００５６】
ステップＳ１において、ユーザはクライアント端末２１や携帯端末２２などの端末装置に表示された認証画面にグループＩＤ、ユーザＩＤ、パスワードなどの認証情報（ログイン情報）を入力する。端末装置はユーザにより入力されたログイン情報をプリントサーバ１１に送信する。ステップＳ２において、プリントサーバ１１は端末装置から受信したログイン情報を元に、認証サーバ１３に認証を依頼する。
【００５７】
ステップＳ３において、認証サーバ１３はプリントサーバ１１からの認証依頼を受け付けると、ログイン情報による認証を行い、認証結果をプリントサーバ１１に返す。認証結果が成功であれば、プリントサーバ１１はステップＳ４において、後述のジョブ投入画面を端末装置に表示させる。
【００５８】
ステップＳ５において、ユーザはジョブ投入画面に印刷するアプリケーションファイル及び印刷設定を指定する。端末装置はユーザにより指定されたアプリケーションファイル及び印刷設定をプリントサーバ１１に送信することでジョブを投入する。プリントサーバ１１は投入されたジョブに対して、一意にジョブを識別できるジョブＩＤを採番する。
【００５９】
ステップＳ６において、プリントサーバ１１はグループＩＤを指定して、認証サーバ１３に後述の強制印刷設定を要求する。ステップＳ７において、認証サーバ１３はグループＩＤに紐付く強制印刷設定を印刷設定保持部５３から読み出し、プリントサーバ１１に送信する。
【００６０】
ステップＳ８において、プリントサーバ１１はユーザから受け付けた印刷設定に、強制印刷設定を強制的に適用する。ステップＳ８の処理の詳細は後述する。ここではプリントサーバ１１が強制印刷設定を強制的に適用したものとして説明を続ける。なお、プリントサーバ１１はロケーションによりデータ形式を決定してもよい。
【００６１】
ステップＳ９において、プリントサーバ１１はレンダリングサーバ１２にグループＩＤとユーザＩＤとジョブＩＤとアプリケーションファイルと印刷設定とを送信し、レンダリング依頼を行う。また、ステップＳ１０において、レンダリングサーバ１２はグループＩＤとユーザＩＤとジョブＩＤとアプリケーションファイルと印刷設定とに基づき、アプリケーションファイルを印刷データへ変換する。
【００６２】
ステップＳ１１においてレンダリングサーバ１２はアプリケーションファイル、そのアプリケーションファイルから変換した印刷データを一意なＵＲＬに保存する。ステップＳ１２において、レンダリングサーバ１２はグループＩＤとユーザＩＤとジョブＩＤとアプリケーションファイルのＵＲＬと印刷データのＵＲＬとレンダリング状態とを含むレンダリング情報をレンダリング情報保持部４４に保持させる。
【００６３】
ステップＳ１３において、プリントサーバ１１はグループＩＤとユーザＩＤとジョブＩＤと印刷設定とレダリング状態とを含むジョブ情報をジョブ蓄積部３７に保存する。プリントサーバ１１は強制印刷設定を強制的に適用したため、ステップＳ１４において、後述のように強制印刷設定が適用された旨を表示する画面を端末装置に表示させる。
【００６４】
ステップＳ１５において、ユーザは画像形成装置２３に表示された認証画面からログイン情報を入力する。ステップＳ１６において、画像形成装置２３はユーザからの認証情報の入力を受け、認証サーバ１３に対して認証を依頼する。
【００６５】
ステップＳ１７において、認証サーバ１３は画像形成装置２３からの認証依頼を受け付けて、その認証情報による認証を行い、認証結果を返す。ここでは認証が成功したものとして説明を続ける。
【００６６】
ステップＳ１８において、画像形成装置２３はグループＩＤ及びユーザＩＤを指定してプリントサーバ１１にジョブリストを要求する。プリントサーバ１１はステップＳ１９において、グループＩＤ及びユーザＩＤを指定して、ジョブのレンダリング状態をレンダリングサーバ１２に要求する。
【００６７】
ステップＳ２０において、レンダリングサーバ１２はレンダリング情報保持部４４が保持するレンダリング情報を参照し、グループＩＤ及びユーザＩＤに紐付くジョブのレンダリング状態を確認し、プリントサーバ１１に返す。
【００６８】
ステップＳ２１において、プリントサーバ１１はジョブ蓄積部３７が保存するジョブ情報のレンダリング状態を更新する。プリントサーバ１１は、ジョブ蓄積部３７が保存するジョブ情報を参照し、グループＩＤ及びユーザＩＤに紐付くジョブのうち、レンダリング状態がレンダリング終了のジョブのジョブリストを画像形成装置２３に送信する。
【００６９】
ステップＳ２２において、画像形成装置２３はジョブリストを表示し、ユーザに印刷するジョブを選択させる。ステップＳ２３において、ユーザは表示されたジョブリストから印刷するジョブを選択する。ステップＳ２４において、画像形成装置２３はユーザから選択されたジョブの取得をプリントサーバ１１に要求する。
【００７０】
ステップＳ２５において、プリントサーバ１１はジョブＩＤを指定して、ジョブのレンダリング情報を取得する。そして、プリントサーバ１１はレンダリング情報に含まれる印刷データを保存したＵＲＬを参照し、そのＵＲＬから印刷データを取得する。画像形成装置２３は印刷データをプリントサーバ１１から受信し、その印刷データを印刷する。
【００７１】
図９はジョブ投入画面の一例のイメージ図である。図９（Ａ）はユーザが印刷するアプリケーションファイル及び印刷設定を指定するジョブ投入画面の一例である。ユーザは端末装置に表示されたジョブ投入画面から印刷するアプリケーションファイル及び印刷設定を指定できる。図９（Ｂ）は強制印刷設定が適用された旨を表示する画面の一例を表している。ユーザは端末装置に表示された図９（Ｂ）のような画面を参照することで、投入したジョブの印刷設定が強制印刷設定により変更されたことを確認できる。
【００７２】
図１０は印刷設定保持部が保持する強制印刷設定の一例の構成図である。強制印刷設定は項目として、グループＩＤ、ユーザＩＤ、ロケーション、強制モノクロ印刷、強制集約印刷、強制両面印刷、強制部数上限を有する。図１０の強制印刷設定はグループＩＤに紐付く例を示している。なお、図１０の強制印刷設定は一例である。強制的に適用する印刷設定の項目は様々考えられる。
【００７３】
項目「強制モノクロ印刷」は強制的にモノクロ印刷を適用するか否かがＯＮ／ＯＦＦにより設定される。項目「強制集約印刷」は強制的に集約印刷を適用するか否かがＯＮ／ＯＦＦにより設定される。項目「強制両面印刷」は強制的に両面印刷を適用するか否かがＯＮ／ＯＦＦにより設定される。項目「強制部数上限」は部数の上限が設定される。
【００７４】
図１１は強制印刷設定の適用を表した一例の説明図である。図１１（Ａ）はユーザから受け付けた印刷設定の一例を表している。図１１（Ｂ）は強制印刷設定を適用したことにより書き換えられた印刷設定の一例を表している。ここでは図１０の強制印刷設定を例として説明する。
【００７５】
例えば図１１（Ａ）の印刷設定はグループＩＤ「１２０２０１４」及びユーザＩＤ「２３４５０２４７」のユーザから受け付けたものであるため、図１０の強制印刷設定から強制的にモノクロ印刷、両面印刷が適用される。したがって、図１１（Ａ）の印刷設定は図１１（Ｂ）のようにカラー印刷がモノクロ印刷に書き換えられ、片面印刷が両面印刷に書き換えられる。
【００７６】
また、強制印刷設定はグループＩＤ及びユーザＩＤに紐付け、グループＩＤ及びユーザＩＤごとに設定するようにしてもよい。図１２は印刷設定保持部が保持する強制印刷設定の他の例の構成図である。図１２の強制印刷設定は項目として、グループＩＤ、ユーザＩＤ、強制モノクロ印刷、強制集約印刷、強制両面印刷、強制部数上限を有する。
【００７７】
図１３は強制印刷設定の適用を表した他の例の説明図である。図１３（Ａ）のユーザは図１２の強制印刷設定を参照すると、強制印刷設定がＯＦＦであるため、カラー印刷及び片面印刷の印刷設定が可能となっている。一方、図１３（Ｂ）のユーザは図１３（Ａ）のユーザとグループＩＤが同一であるが、図１２の強制印刷設定を参照すると、強制モノクロ印刷及び強制両面印刷がＯＮである。したがって、図１３（Ｂ）のユーザはカラー印刷及び片面印刷の印刷設定ができず、強制的にモノクロ印刷及び両面印刷の印刷設定に書き換えられる。
【００７８】
図１４はジョブ蓄積部が保存するジョブ情報の一例の構成図である。ジョブ情報は項目として、グループＩＤ、ユーザＩＤ、ジョブＩＤ、印刷設定、レンダリング情報を有している。
【００７９】
また、図１５はレンダリング情報保持部が保持するレンダリング情報の一例の構成図である。レンダリング情報は項目として、グループＩＤ、ユーザＩＤ、ジョブＩＤ、アプリケーションファイルを保存したＵＲＬ、印刷データを保存したＵＲＬを有する。ＵＲＬはアプリケーションファイルや印刷データを保存した場所を表す情報の一例である。
【００８０】
図８のステップＳ８の処理は例えば図１６に示すように行われる。図１６は印刷設定を決定する処理の一例のフローチャートである。
【００８１】
ステップＳ３１において、プリントサーバ１１はユーザのグループＩＤに紐付いた強制印刷設定を参照し、強制印刷設定の項目に「ＯＮ」又は部数上限が設定されているか否かを判定する。強制印刷設定の項目に「ＯＮ」又は部数上限が設定されていれば、プリントサーバ１１はステップＳ３２において、ユーザから受け付けた印刷設定と、強制印刷設定とを比較し、ユーザから受け付けた印刷設定を変更する必要があるか判定する。
【００８２】
例えばユーザから受け付けた印刷設定がカラー印刷であり、強制印刷設定の強制モノクロ印刷の項目に「ＯＮ」が設定されていれば、プリントサーバ１１はユーザから受け付けたカラー印刷の設定を変更する必要があると判定する。
【００８３】
また、ユーザから受け付けた印刷設定の部数が６０部であり、強制印刷設定の強制部数上限の項目に５０部が設定されていれば、プリントサーバ１１はユーザから受け付けた印刷部数の設定を変更する必要があると判定する。
【００８４】
ユーザから受け付けた印刷設定を変更する必要があると判定すると、プリントサーバ１１はステップＳ３３において、ユーザから受け付けた印刷設定を、強制印刷設定で強制的に変更する。例えばプリントサーバ１１はユーザから受け付けたカラー印刷の設定を変更する必要があると判定すれば、ユーザから受け付けたカラー印刷の設定をモノクロ印刷に変更する。また、プリントサーバ１１はユーザから受け付けた印刷部数の設定を変更する必要があると判定すれば、ユーザから受け付けた印刷部数の設定を強制部数上限に基づき変更する。
【００８５】
例えばユーザから受け付けた印刷部数の設定を強制部数上限に基づき変更する方法としては、ユーザから受け付けた印刷部数を強制部数上限に変更すること、ユーザから受け付けた印刷部数のうち強制部数上限を超える分についてカラー印刷をモノクロ印刷に変更すること、ユーザから受け付けた印刷部数のうち強制部数上限を超える分について片面印刷を両面印刷に変更することなどが考えられる。
【００８６】
なお、ステップＳ３１において強制印刷設定の項目に「ＯＮ」又は部数上限が設定されていなければ、又は、ステップＳ３２においてユーザから受け付けた印刷設定を変更する必要がないと判定すると、プリントサーバ１１はユーザから受け付けた印刷設定を変更しない。
【００８７】
＜まとめ＞
第１の実施形態に係る印刷システム１によれば、レンダリングサーバ１２を用いることで端末装置から印刷データへの変換前のアプリケーションファイルなどをジョブとしてプリントサーバ１１に投入することができる。
【００８８】
また、印刷システム１はアプリケーションファイルなどをレンダリングサーバ１２で印刷データに変換するタイミングまで、ユーザから受け付けた印刷設定を、予め管理者などが設定している強制印刷設定に書き換えることができる。これにより第１の実施形態に係る印刷システム１はルールベースを用いたロケーションフリー印刷において、画像形成装置２３に印刷させるジョブの印刷設定の変更が容易である。
［第２の実施形態］
第２の実施形態は、プリントサーバ１１がユーザから受け付けた印刷設定に、強制印刷設定を強制的に適用するかを、外部の情報により判断するものである。なお、第２の実施形態はシステム構成、ハードウェア構成及びソフトウェア構成が第１の実施形態と同様であるため、説明を省略する。
【００８９】
＜処理の詳細＞
以下では、第２の実施形態に係る印刷システム１の処理の詳細について説明する。図１７は本実施形態に係る印刷システムの処理を表した一例のシーケンス図である。なお、図１７のシーケンス図は一部を除き、図８のシーケンス図と同様である。
【００９０】
ステップＳ５１〜Ｓ５７の処理は図８のステップＳ１〜Ｓ７の処理と同様である。プリントサーバ１１はステップＳ５８において、例えば図１８に示すような外部の情報を参照する。
【００９１】
図１８は外部の情報の一例の構成図である。図１８の外部の情報は項目として、強制印刷適用条件、Ｋｅｙ、ｖａｌｕｅを有する。第２の実施形態に係る印刷システム１では図１８に示すように、カラー印刷、ページ数、片面印刷などｋｅｙのｖａｌｕｅを、印刷システム１のログとしてカウントする。例えば、画像形成装置２３がカラー印刷を５ページ印刷するとｋｅｙ「カラー印刷」のｖａｌｕｅを２２１にカウントする。なお、カウントの単位はページに限らず、枚数や面数等であってもよい。
【００９２】
プリントサーバ１１は、図１８に示すような外部の情報を参照し、ｋｅｙのｖａｌｕｅを強制印刷適用条件で評価（ｖａｌｕｅの値が強制印刷適用条件を満たすか否かを評価）して、その結果（ｔｒｕｅ／ｆａｌｓｅ）を参照値として返される。図１８の例は強制印刷適用条件の評価の結果がｆａｌｓｅとなる。
【００９３】
ステップＳ５９において、プリントサーバ１１はユーザから受け付けた印刷設定に、強制印刷設定を強制的に適用するかを、図１８に示すような外部の情報を参照した参照値により判断し、印刷設定を決定する。
【００９４】
例えばプリントサーバ１１は参照値がｔｒｕｅであれば、ユーザから受け付けた印刷設定に、強制印刷設定を強制的に適用する。また、プリントサーバ１１は参照値がｆａｌｓｅであれば、ユーザから受け付けた印刷設定に、強制印刷設定を強制的に適用しない。
【００９５】
ステップＳ６０〜Ｓ６３の処理は図８のステップＳ９〜Ｓ１２の処理と同様である。ステップＳ６４の処理は図８のステップＳ１３の処理と同様である。また、ステップＳ６５以降の処理は図８のステップＳ１５以降の処理と同様である。
【００９６】
＜まとめ＞
このように、第２の実施形態に係る印刷システム１によれば、ユーザから受け付けた印刷設定に、強制印刷設定を強制的に適用するかを、プリントサーバ１１が外部の情報により判断できる。
［第３の実施形態］
第３の実施形態は、端末装置に強制印刷設定を反映したジョブ投入画面を表示させるものである。なお、第３の実施形態はシステム構成、ハードウェア構成及びソフトウェア構成が第１の実施形態と同様であるため、説明を省略する。
【００９７】
＜処理の詳細＞
以下では、第３の実施形態に係る印刷システム１の処理の詳細について説明する。図１９は本実施形態に係る印刷システムの処理を表した一例のシーケンス図である。なお、図１９のシーケンス図は一部を除き、図８のシーケンス図と同様である。
【００９８】
ステップＳ８１〜Ｓ８３の処理は図８のステップＳ１〜Ｓ３の処理と同様である。プリンタサーバ１１はステップＳ８４において、認証サーバ１３からの認証結果が成功であれば後述のジョブ投入画面を端末装置に表示させるための処理を開始する。ステップＳ８５において、プリントサーバ１１はグループＩＤを指定して、認証サーバ１３に強制印刷設定を要求する。ステップＳ８６において、認証サーバ１３はグループＩＤに紐付く強制印刷設定を印刷設定保持部５３から読み出し、プリントサーバ１１に送信する。
【００９９】
ステップＳ８７において、プリントサーバ１１はグループＩＤに紐付く強制印刷設定を反映した図２０のようなジョブ投入画面を端末装置に表示させる。図２０は強制印刷設定を反映したジョブ投入画面の一例のイメージ図である。
【０１００】
図２０はグループＩＤに紐付く強制印刷設定の一例として、強制モノクロ印刷が反映されている例を示している。図２０のジョブ投入画面は強制モノクロ印刷が反映されている例であるため、カラー／モノクロの印刷設定がモノクロに固定されたＵＩである。
【０１０１】
ステップＳ８８において、ユーザは図２０に示すようなジョブ投入画面に、印刷するアプリケーションファイル及び印刷設定を指定する。端末装置は、ユーザにより指定されたアプリケーションファイル及び印刷設定をプリントサーバ１１に送信することでジョブを投入する。プリントサーバ１１は投入されたジョブに対して、一意にジョブを識別できるジョブＩＤを採番する。
【０１０２】
ステップＳ８９〜Ｓ９２の処理は図８のステップＳ９〜Ｓ１２の処理と同様である。ステップＳ９３の処理は図８のステップＳ１３の処理と同様である。また、ステップＳ９４以降の処理は図８のステップＳ１５以降の処理と同様である。
【０１０３】
＜まとめ＞
このように、第３の実施形態に係る印刷システム１によれば、端末装置に強制印刷設定を反映したジョブ投入画面を表示させることができる。
［第４の実施形態］
第４の実施形態は、ユーザから受け付けた印刷設定（ユーザ設定）および推奨の印刷設定（推奨設定）を元にレンダリングを行い、アプリケーションファイルをユーザ設定の印刷データと推奨設定の印刷データとに変換するものである。なお、第４の実施形態はシステム構成、ハードウェア構成及びソフトウェア構成が第１の実施形態と同様であるため、説明を省略する。
【０１０４】
＜処理の詳細＞
以下では、第４の実施形態に係る印刷システム１の処理の詳細について説明する。図２１は本実施形態に係る印刷システムの処理を表した一例のシーケンス図である。なお、図２１のシーケンス図は一部を除き、図８のシーケンス図と同様である。
【０１０５】
図２１のステップＳ１１１〜Ｓ１１５の処理は図８のステップＳ１〜Ｓ５の処理と同様である。プリントサーバ１１はステップＳ１１６において、グループＩＤを指定して認証サーバ１３に推奨の印刷設定を要求する。
【０１０６】
ステップＳ１１７において、認証サーバ１３はグループＩＤに紐付く推奨の印刷設定を印刷設定保持部５３から読み出し、プリントサーバ１１に送信する。ステップＳ１１８において、プリントサーバ１１はユーザから受け付けた印刷設定と認証サーバ１３から受信した推奨の印刷設定とを紐付ける。
【０１０７】
ステップＳ１１９において、プリントサーバ１１はレンダリングサーバ１２にグループＩＤとユーザＩＤとジョブＩＤとアプリケーションファイルとユーザから受け付けた印刷設定と推奨の印刷設定とを送信し、レンダリング依頼を行う。
【０１０８】
また、ステップＳ１２０において、レンダリングサーバ１２はグループＩＤとユーザＩＤとジョブＩＤとアプリケーションファイルとユーザから受け付けた印刷設定と推奨の印刷設定とに基づき、アプリケーションファイルをユーザ設定の印刷データと推奨設定の印刷データへ変換する。
【０１０９】
ステップＳ１２１においてレンダリングサーバ１２はアプリケーションファイル、そのアプリケーションファイルから変換したユーザ設定の印刷データ、推奨設定の印刷データをそれぞれ一意なＵＲＬに保存する。
【０１１０】
ステップＳ１２２において、レンダリングサーバ１２は、グループＩＤとユーザＩＤとジョブＩＤとアプリケーションファイルのＵＲＬとユーザ設定の印刷データのＵＲＬと推奨設定の印刷データのＵＲＬとレンダリング状態とを含むレンダリング情報をレンダリング情報保持部４４に保持させる。
【０１１１】
ステップＳ１２３において、プリントサーバ１１はグループＩＤとユーザＩＤとジョブＩＤとユーザから受け付けた印刷設定と推奨設定の有無とレダリング状態とを含むジョブ情報をジョブ蓄積部３７に保存する。
【０１１２】
ステップＳ１２４〜Ｓ１３３の処理は、図８のステップＳ１５〜Ｓ２４の処理と同様である。ステップＳ１３４において、プリントサーバ１１はユーザから選択されたジョブのジョブＩＤに基づき、ジョブ情報の推奨設定の有無を確認する。
【０１１３】
推奨設定が有れば、プリントサーバ１１はステップＳ１４１において画像形成装置２３に推奨設定があることを伝える。ステップＳ１４２において画像形成装置２３はユーザに推奨設定で印刷するかを選択させる印刷設定の選択画面を表示し、ユーザに印刷設定を選択させる。
【０１１４】
ステップＳ１４３において、プリントサーバ１１はジョブＩＤとユーザが選択した印刷設定を指定して、ジョブのレンダリング情報を取得する。そして、プリントサーバ１１はレンダリング情報に含まれるユーザ設定の印刷データのＵＲＬ又は推奨設定の印刷データのＵＲＬを参照し、そのＵＲＬから印刷データを取得する。画像形成装置２３はユーザが選択した印刷設定の印刷データをプリントサーバ１１から受信し、その印刷データを印刷する。
【０１１５】
なお、ステップＳ１３４において推奨設定が無ければ、プリントサーバ１１はステップＳ１５１に進み、ジョブＩＤを指定して、ジョブのレンダリング情報を取得する。プリントサーバ１１はレンダリング情報に含まれるユーザ設定の印刷データを保存したＵＲＬを参照し、そのＵＲＬから印刷データを取得する。画像形成装置２３は印刷データをプリントサーバ１１から受信し、その印刷データを印刷する。
【０１１６】
図２２はジョブ蓄積部が保存するジョブ情報の一例の構成図である。ジョブ情報は項目として、グループＩＤ、ユーザＩＤ、ジョブＩＤ、印刷設定、推奨設定の有無、レンダリング情報を有している。
【０１１７】
また、図２３はレンダリング情報保持部が保持するレンダリング情報の一例の構成図である。レンダリング情報は項目として、グループＩＤ、ユーザＩＤ、ジョブＩＤ、アプリケーションファイルを保存したＵＲＬ、ユーザ設定の印刷データを保存したＵＲＬ、推奨設定の印刷データを保存したＵＲＬを有する。
【０１１８】
＜まとめ＞
このように、第４の実施形態に係る印刷システム１によれば、アプリケーションファイルをユーザ設定の印刷データと推奨設定の印刷データとに変換しておき、ユーザに印刷を行う印刷データを選択させることができる。
【０１１９】
なお、上述の実施形態において、１以上のユーザ（ユーザＩＤ）をグループ（グループＩＤ）で管理し、グループＩＤを用いて強制印刷設定の制御を行った。このグループＩＤの具体的な例としては、例えばユーザの所属（組織、会社等）やロケーション（事業所、地域、国等）、コミュニティ等、ユーザに紐付いてユーザを管理する種々の属性情報を利用する事ができる。
【０１２０】
本発明は、具体的に開示された上記の実施形態に限定されるものではなく、特許請求の範囲から逸脱することなく、種々の変形や変更が可能である。上述した実施形態における印刷システム１は出力システムの一例である。また、画像形成装置２３は出力装置の一例である。出力装置は必ずしも画像形成装置２３に限定されるものでなく、プロジェクタなどの投影装置や、データを表示する装置など、データ等を出力する装置であればよい。プリントサーバ１１は出力制御装置の一例である。レンダリングサーバ１２は変換装置の一例である。
【符号の説明】
【０１２１】
１      印刷システム
１１    プリントサーバ
１２    レンダリングサーバ
１３    認証サーバ
２１    クライアント端末
２２    携帯端末
２３    画像形成装置
３１    レンダリング依頼部
３２    通信部
３３    ジョブ受付部
３４    認証依頼部
３５    ジョブリスト取得部
３６    ジョブ取得部
３７    ジョブ蓄積部
３８    表示部
４１    通信部
４２    レンダリングデータ保持部
４３    レンダリング部
４４    レンダリング情報保持部
５１    通信部
５２    認証部
５３    印刷設定保持部
６１    通信部
６２    表示部
６３    認証依頼部
６４    ジョブリスト取得部
６５    ジョブリスト表示部
６６    ジョブ取得部
１００    コンピュータシステム
１０１    入力装置
１０２    表示装置
１０３    外部Ｉ／Ｆ
１０３ａ    記録媒体
１０４    ＲＡＭ
１０５    ＲＯＭ
１０６    ＣＰＵ
１０７    通信Ｉ／Ｆ
１０８    ＨＤＤ
２０１    コントローラ
２０２    操作パネル
２０３    外部Ｉ／Ｆ
２０４    通信Ｉ／Ｆ
２０５    プリンタ
２０６    スキャナ
２１１    ＣＰＵ
２１２    ＲＡＭ
２１３    ＲＯＭ
２１４    ＮＶＲＡＭ
２１５    ＨＤＤ
Ｂ    バス
ＦＷ    ファイアウォール
Ｎ１、Ｎ２    ネットワーク
【先行技術文献】
【特許文献】
【０１２２】
【特許文献１】特開２０１１−５６９１８号公報
【図１】
2014059697.tif 000003
【図２】
2014059697.tif 000004
【図３】
2014059697.tif 000005
【図４】
2014059697.tif 000006
【図５】
2014059697.tif 000007
【図６】
2014059697.tif 000008
【図７】
2014059697.tif 000009
【図８】
2014059697.tif 000010
【図９】
2014059697.tif 000011
【図１０】
2014059697.tif 000012
【図１１】
2014059697.tif 000013
【図１２】
2014059697.tif 000014
【図１３】
2014059697.tif 000015
【図１４】
2014059697.tif 000016
【図１５】
2014059697.tif 000017
【図１６】
2014059697.tif 000018
【図１７】
2014059697.tif 000019
【図１８】
2014059697.tif 000020
【図１９】
2014059697.tif 000021
【図２０】
2014059697.tif 000022
【図２１】
2014059697.tif 000023
【図２２】
2014059697.tif 000024
【図２３】
2014059697.tif 000025